(57)【要約】【課題】プラズマディスプレイ装置の画質向上、品質向上を図ることを目的とする。【解決手段】複数本の走査電極および維持電極の間に放電ギャップを設けて配置した前面基板と、前記走査電極および維持電極と交差する方向に複数本のデータ電極を配置するとともに前記放電空間を区画する隔壁を形成した背面基板とを有し、前記走査電極および維持電極と前記データ電極との交差部に複数の放電セルを形成してプラズマディスプレイパネルを構成したプラズマディスプレイ装置において、前記前面基板１の端部に形成されかつ外部の駆動回路に接続するための配線部材が接続される複数の接続端子２１と、この接続端子２１と前記走査電極３とをそれぞれ電気的に接続しかつ前記前面基板１上の走査電極３の端部と前記接続端子２１との間の領域に形成した複数の中間接続配線２２とを有し、前記中間接続配線２２の部分を前記封着部材２３により覆うように構成した。【選択図】図６
2011159522.tif 000002
【特許請求の範囲】
【請求項１】
複数本の走査電極および維持電極の間に放電ギャップを設けて配置した前面基板と、前記前面基板との間に放電空間が形成されるように対向配置されかつ前記走査電極および維持電極と交差する方向に複数本のデータ電極を配置するとともに前記放電空間を区画する隔壁を形成した背面基板とを有し、前記走査電極および維持電極と前記データ電極との交差部に複数の放電セルを形成してプラズマディスプレイパネルを構成し、このプラズマディスプレイパネルの前記データ電極に電圧を供給するためのデータドライバを有するプラズマディスプレイ装置において、前記プラズマディスプレイパネルは、前記前面基板と背面基板の周縁部を封着部材により封着することにより構成し、かつ前記前面基板の端部に形成されかつ外部の駆動回路に接続するための配線部材が接続される複数の接続端子と、この接続端子と前記走査電極とをそれぞれ電気的に接続しかつ前記前面基板上の走査電極の端部と前記接続端子との間の領域に形成した複数の中間接続配線とを有し、前記中間接続配線の部分において、配線間隔が他の部分に比べて狭くなる前記接続端子との接続側端部を前記封着部材により覆うように構成したことを特徴とするプラズマディスプレイ装置。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成しており（特許文献１参照）、大画面化、高精細化が進められて来ているが、一般家庭での普及が進むことにより、高画質、低消費電力に対する要望も強くなってきている。
【先行技術文献】
【特許文献】
【０００６】
【特許文献１】特開２００３−１３１５８０号公報
【発明の概要】
【発明が解決しようとする課題】
【０００７】
本発明はこのような現状に鑑みなされたもので、プラズマディスプレイ装置の画質向上、品質向上を図ることを目的とする。
【課題を解決するための手段】
【０００８】
この課題を解決するために本発明は、複数本の走査電極および維持電極の間に放電ギャップを設けて配置した前面基板と、前記前面基板との間に放電空間が形成されるように対向配置されかつ前記走査電極および維持電極と交差する方向に複数本のデータ電極を配置するとともに前記放電空間を区画する隔壁を形成した背面基板とを有し、前記走査電極および維持電極と前記データ電極との交差部に複数の放電セルを形成してプラズマディスプレイパネルを構成し、このプラズマディスプレイパネルの前記データ電極に電圧を供給するためのデータドライバを有するプラズマディスプレイ装置において、前記プラズマディスプレイパネルは、前記前面基板と背面基板の周縁部を封着部材により封着することにより構成し、かつ前記前面基板の端部に形成されかつ外部の駆動回路に接続するための配線部材が接続される複数の接続端子と、この接続端子と前記走査電極とをそれぞれ電気的に接続しかつ前記前面基板上の走査電極の端部と前記接続端子との間の領域に形成した複数の中間接続配線とを有し、前記中間接続配線の部分において、配線間隔が他の部分に比べて狭くなる前記接続端子との接続側端部を前記封着部材により覆うように構成したことを特徴とする。
【発明の効果】
【０００９】
本発明においては、前面基板の端部に形成される複数の接続端子と走査電極とをそれぞれ電気的に接続する複数の中間接続配線の部分において、配線間隔が他の部分に比べて狭くなる前記接続端子との接続側端部を封着部材により覆うように構成しており、他の部分に比べて配線間隔が狭い中間接続配線の部分を封着部材で覆うことにより、中間接続配線の配線間におけるマイグレーションを防ぐことができ、走査電極の外部への引き出し配線部分の信頼性を確保することができる。
【図面の簡単な説明】
【００１０】
【図１】本発明の一実施の形態によるプラズマディスプレイ装置に用いるパネルの要部を示す斜視図
【図２】同パネルの電極配列図
【図３】同プラズマディスプレイ装置の回路ブロック図
【図４】パネルの各電極に印加する駆動電圧波形を示す波形図
【図５】同プラズマディスプレイ装置のパネルの放電セル構成を示す断面図
【図６】同プラズマディスプレイ装置のパネルの走査電極の引き出し配線側の状態を示す概略平面図
【図７】図６の要部の詳細を示す平面図
【発明を実施するための形態】
【００１１】
以下、本発明の一実施の形態によるプラズマディスプレイ装置について、図１〜図７を用いて説明するが、本発明の実施の態様はこれに限定されるものではない。
【００１２】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが間に放電ギャップＧを設けて互いに平行に対をなして複数形成されている。そして、走査電極３および維持電極４を覆うようにガラス材料からなる誘電体層５が形成され、その誘電体層５上にはＭｇＯからなる保護層６が形成されている。前記走査電極３および維持電極４は、ＩＴＯなどの透明電極３ａ、４ａと、この透明電極３ａ、４ａに重ねて形成したＡｇからなるバス電極３ｂ、４ｂとから構成されている。
【００１３】
また、背面基板２上には、ガラス材料からなる絶縁体層７で覆われたストライプ状に配列したＡｇからなる複数のデータ電極８が設けられ、その絶縁体層７上には、前面基板１と背面基板２との間の放電空間を放電セル毎に区切るための井桁状のガラス材料からなる隔壁９が設けられている。また、絶縁体層７の表面および隔壁９の側面に赤色（Ｒ）、緑色（Ｇ）、青色（Ｂ）の蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１４】
図２はこのパネル１１の電極配列図である。パネル１１の表示領域には、行方向にｎ本の走査電極ＳＣ１〜ＳＣｎ（図１の走査電極３）およびｎ本の維持電極ＳＵ１〜ＳＵｎ（図１の維持電極４）が、維持電極ＳＵ１−走査電極ＳＣ１−走査電極ＳＣ２−維持電極ＳＵ２・・・・の配列となるように形成され、列方向にｍ本のデータ電極Ｄ１〜Ｄｍ（図１のデータ電極８）が前記走査電極ＳＣ１〜ＳＣｎおよびｎ本の維持電極ＳＵ１〜ＳＵｎと交差する配列となるように形成されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルＳが形成され、放電セルＳは放電空間内にｍ×ｎ個形成されている。また、パネル１１の表示領域の周囲には、非表示領域が設けられ、その非表示領域には、複数本（図示のものは、片側に２本）のダミー電極Ａが形成されている。
【００１５】
図３はこのパネルを用いたプラズマディスプレイ装置の回路ブロック図である。このプラズマディスプレイ装置は、パネル１１、画像信号処理回路１２、データ電極駆動回路１３、走査電極駆動回路１４、維持電極駆動回路１５、タイミング発生回路１６および電源回路（図示せず）を備えている。また、データ電極駆動回路１３は、図２に示すように、パネル１１のデータ電極８の一端の引き出し端子に接続され、かつ前記データ電極８に電圧を供給するための半導体素子からなる複数のデータドライバ１３ａを有している。前記データ電極８は、数本づつのデータ電極８で１ブロックとして複数のブロックに分割し、そのブロック単位で複数のデータドライバ１３ａをパネル１１の下端部の電極引出部に接続して配置している。
【００１６】
図３において、画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。ここで、前記走査電極駆動回路１４および維持電極駆動回路１５は、維持パルス発生部１７を備えている。
【００１７】
次に、パネルを駆動するための駆動電圧波形とその動作について図４を用いて説明する。図４はパネルの各電極に印加する駆動電圧波形を示す図である。
【００１８】
本実施の形態によるプラズマディスプレイ装置においては、１フィールドを複数のサブフィールドに分割し、それぞれのサブフィールドは初期化期間、書込み期間、維持期間を有している。
【００１９】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２０】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２１】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２２】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２３】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２４】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２５】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００２６】
次に、本発明によるプラズマディスプレイ装置のパネル構造について、図５〜図７を用いてさらに詳細に説明する。
【００２７】
図５に本発明の一実施の形態によるプラズマディスプレイ装置のパネル構造の断面を示し、図６に前面基板の走査電極側の接続端子の配置を示す概略平面を示し、図７にその図６の接続端子周辺の要部を拡大して示している。
【００２８】
図５において、放電セルＳを区画する井桁形状の隔壁９は、データ電極８に平行に形成された縦隔壁９ａと、この縦隔壁９ａに直交するように形成した横隔壁９ｂとから構成されている。また、この隔壁９内に塗布して形成される蛍光体層１０は、縦隔壁９ａに沿ってストライプ状に青色蛍光体層１０Ｂ、赤色蛍光体層１０Ｒ、緑色蛍光体層１０Ｇの順に配列して形成されている。
【００２９】
また、図６、図７に示すように、前記前面基板１の端部には、走査電極３を外部の駆動回路に接続するためのＡｇなどの導電部材からなる複数の接続端子２１が行方向に所定のピッチで配列して形成されている。この接続端子２１は、外部の駆動回路との接続に使用するフレキシブル配線板などの配線部材の配線パターンの本数に合わせて、複数本を１群として、前面基板１の端部に形成されている。
【００３０】
さらに、前記前面基板１上の走査電極３の端部と前記接続端子２１との間の領域には、複数の接続端子２１と前記走査電極３のバス電極３ｂとをそれぞれ電気的に接続するためのＡｇなどの導電部材からなる複数の中間接続配線２２が形成されている。この中間接続配線２２は、一端が前記接続端子２１に接続されるとともに他端が前記走査電極３のバス電極３ｂに接続されており、この中間接続配線２２における配線間隔が他の部分に比べ、狭くなっている。また、パネルは、前記前面基板１と背面基板２の周縁部をフリットガラスからなる封着部材２３により封着することにより構成されているが、前記中間接続配線２２の部分が封着部材２３により覆われるように封着部材２３が配置されている。
【００３１】
図７には、その中間接続配線２２を拡大して示しており、図７に示すように、前記中間接続配線２２の部分において、配線間隔が他の部分に比べて狭くなる前記接続端子２１との接続側端部２２ａを前記封着部材２３により覆うように構成している。
【００３２】
ここで、図示はしていないが、維持電極４側については、パネルの駆動上、共通に接続する構造が採用されており、本実施の形態においても、維持電極４側の外部への引き出し構造は、前面基板１の前記接続端子２１とは反対側の端部に、全ての維持電極４のバス電極４ｂが共通に接続されるＡｇなどの導電部材からなる共通パターンを形成し、その共通パターンに維持電極４のバス電極４ｂを接続する構成としている。
【００３３】
以上のように、本発明においては、前面基板１の端部に形成される複数の接続端子２１と走査電極３とをそれぞれ電気的に接続する複数の中間接続配線２２の部分において、配線間隔が他の部分に比べて狭くなる前記接続端子２１との接続側端部２２ａを前記封着部材２３により覆うように構成しており、他の部分に比べて配線間隔が狭い中間接続配線２２におけるマイグレーションを防ぐことができ、走査電極の外部への引き出し配線部分の信頼性を確保することができる。
【産業上の利用可能性】
【００３４】
以上のように本発明は、高画質で低消費電力のプラズマディスプレイ装置を提供する上で有用な発明である。
【符号の説明】
【００３５】
１  前面基板
２  背面基板
３  走査電極
４  維持電極
５  誘電体層
６  保護層
７  絶縁体層
８  データ電極
９  隔壁
１０  蛍光体層
１１  パネル
２１  接続端子
２２  中間接続配線
２３  封着部材
【図１】
2011159522.tif 000003
【図２】
2011159522.tif 000004
【図３】
2011159522.tif 000005
【図４】
2011159522.tif 000006
【図５】
2011159522.tif 000007
【図６】
2011159522.tif 000008
【図７】
2011159522.tif 000009